(57)【要約】【課題】接地線の保護効果を高めることが可能な電柱標識板、及び接地線の保護部または保護部の一部として接地線の補修を効果的に行うことが可能な接地線補修方法を提供する。【解決手段】接地線保護部１２を設けた電柱標識板１１を用いて接地線３または接地線保護管４を電柱１と共に覆うことにより、接地線３の保護をより確実にする。また、接地線保護管４の補修、保護、継足し、補強を要する部分に接地線保護部１２を設けた電柱標識板１１を用いることにより、簡単に接地線保護管４の補修を行うことができる。【選択図】図６
2007189791.tif 000002
【特許請求の範囲】
【請求項１】
電柱の外面に取付けられている電柱標識板において、接地線保護部が設けられていることを特徴とする電柱標識板。
【請求項２】
電柱の外面に取付けられている電柱標識板において、半管状に電柱の外方に突出する接地線保護部が設けられていることを特徴とする電柱標識板。
【請求項３】
電柱標識板を接地線の保護管または保護管の一部として接地線の補修を行うことを特徴とする接地線の補修方法。
【発明の詳細な説明】
【技術分野】
【０００１】
本発明は接地線の保護に有用な電柱標識板、及び電柱標識板を接地線の保護部または保護部の一部として接地線の補修を行う接地線の補修方法に関する。
【背景技術】
【０００２】
電柱付近に設置されている接地線の多くは、地下７５ｃｍから地表上２ｍまでの部分を厚さ２ｍｍ以上の合成樹脂管または合成樹脂管と同等以上の絶縁効力及び強さのある接地線保護管で覆う必要がある。しかしながら接地線保護管が、車両や草刈機等の接触により破損したり、さらに接地線保護管の内部に配された接地線が断線したりする状況が多発している。接地線保護管が破損した場合には補修作業を行う必要がある。
【０００３】
これまで接地線保護管破損の場合、取替え作業を行う必要があった。接地線保護管の取替え作業は誰でも簡単に行える作業では無く、別途作業員を派遣する必要がある場合もあり、補修作業には時間、手間、費用等を要していた。
【０００４】
一方、電柱の存在を認識させ注意を促すため、電柱標識板が設置される場合がある（特許文献１参照）。電柱標識板の設置により、車両の電柱との接触を軽減することができる。
【０００５】
【特許文献１】実開平７−２７２４４号公報
【発明の開示】
【発明が解決しようとする課題】
【０００６】
しかし、電柱標識板を設置しても車両や草刈機が電柱に接触してしまう場合があり、接地線保護管の破損や接地線の断線は依然として生じていた。すなわち、これまでの電柱標識板は接地線を保護することが考慮されたものでは無かった。
【０００７】
本発明は上記の状況に鑑み、接地線保護管及び接地線を保護することが可能な電柱標識板、及び電柱標識板を接地線の保護部または保護部の一部として接地線の補修を効果的に行うことが可能な接地線の補修方法を提供することを目的とする。
【課題を解決するための手段】
【０００８】
上記課題を解決する本発明の第１の態様は、電柱の外面に取付けられている電柱標識板において、接地線保護部が設けられていることを特徴とする電柱標識板にある。
【０００９】
かかる第１の態様では、接地線保護部が設けられた電柱標識板で接地線または接地線保護管を覆うことにより、電柱標識板を用いて接地線または接地線保護管を容易に保護し、接地線の破損を軽減することができる。
【００１０】
また、電柱標識板は本来電柱の存在を認識させるものであるため、電柱標識板が用いられていない箇所へ新たに本発明の電柱標識板を設置することにより、電柱への車両の接触などによる接地線及び接地線保護管の破損をより軽減することが可能となる。
【００１１】
さらに、本発明の電柱標識板を接地線保護管の破損箇所に設置することにより、容易に接地線保護管の補修を行うことができる。
【００１２】
本発明の第２の態様は、電柱の外面に取付けられている電柱標識板において、半管状に電柱の外方に突出する接地線保護部が設けられていることを特徴とする電柱標識板にある。
【００１３】
かかる第２の態様では、接地線保護部が半管状であり、樹脂などの管を半割にして電柱標識板に取付けるだけで容易に接地線保護部を設けることができ、簡単且つ安価に製作することが可能な電柱標識板を用いて接地線を保護することができる。
【００１４】
本発明の第３の態様は、電柱標識板を接地線の保護管または保護管の一部として接地線の補修を行うことを特徴とする接地線の補修方法にある。
【００１５】
かかる第３の態様では、接地線保護部が設けられた電柱標識板で接地線を覆うことにより、電柱標識板を用いて簡単に接地線を保護することができる。また、保護効果が増すのみでなく、電柱標識板は電柱の存在を認識させるものであるため、本発明の電柱標識板を新たに設置することにより、電柱への車両の接触などによる接地線破損を軽減することができる。
【発明の効果】
【００１６】
本発明によれば、電柱標識板に接地線の保護部を設けたので、接地線をより効果的に保護することができる。また、本発明の電柱標識板を用いて接地線保護管の補修等を行うことが可能であるため、既存の接地線保護管を取替える必要が無く、接地線の補修を容易に行うことができる。
【発明を実施するための最良の形態】
【００１７】
以下、本発明の実施形態を図１〜図８に基づき説明する。
【００１８】
図１に電柱付近に設置され接地線保護管によって保護された接地線の側面図、図２に車両との接触により接地線保護管が破損した状態の側面図、図３に草刈機との接触により接地線保護管が破損した状態の側面図、図４に既存電柱標識板の概要図、図５に本実施形態における本発明の電柱標識板の概要図、図６に本発明の電柱標識板を車両による接地線保護管の破損箇所に用いた場合の斜視図、図７に本発明の電柱標識板を草刈機による接地線保護管の破損箇所に用いた場合の斜視図、図８に接地線保護部を突出させない場合の本発明の電柱標識板の断面図を示す。
【００１９】
図１に示すように、電柱１に、電柱１の存在を認識させ注意を促すための電柱標識板２が設置されている。また、電柱１付近には接地線３が設置され、接地線３は地下７５ｃｍから地上２ｍまでが２ｍｍ以上の厚さを有する接地線保護管４により保護されている。
【００２０】
通常電柱標識板２が設けられていない電柱１と比較して電柱標識板２の設けられた電柱１はより注意喚起され車両や草刈機との接触が軽減される。しかしながら、電柱標識板２を設置しても車両や草刈機が電柱に接触してしまう場合があり、同時に接地線保護管４や接地線３が車両や草刈機との接触により破損してしまう状況が多発している。
【００２１】
図２に示すように、車両が電柱に接触すると、接地線保護管４が破損し接地線３が露出する箇所（破損部位８）は、電柱標識板２の高さにある場合が多い。また、図３に示すように、草刈機が接触すると、接地線保護管４が破損し接地線３が露出する箇所（破損部位９）は、電柱標識板２よりも下に位置する地表面７の近くに有る場合が多い。
【００２２】
これまで接地線保護管４破損の場合、接地線保護管４の取替えを行っていた。接地線保護管４の取替え作業には別途作業員を派遣する必要がある場合もあり、補修作業には時間、手間、費用等を要していた。
【００２３】
そこで、本発明の電柱標識板が接地線及び接地線保護管４の補修に用いられる。本発明の電柱標識板は、これまで接地線３を保護することが考慮されていなかった既存電柱標識板２を改良し、接地線保護管４及び接地線３の保護を可能としたものである。
【００２４】
図４に示したように、既存電柱標識板２は板材６に注意喚起のための縦縞の模様が描かれ、夜間でも目立つよう光反射シート（不図示）が縦縞の模様に合わせて貼付されたものである。また、既存電柱標識板２の両端部には複数個の穴１０が設けられ、ステンレスバンド５が両端の穴に通されることにより電柱標識板２が電柱１に固定されている（図１〜３参照）。
【００２５】
本実施形態における電柱標識板１１は、既存電柱標識板２に対し図５の通り半管状に電柱１の外方に突出する接地線保護部１２が設けられている。即ち、板材１３の中央部に半管状の凸部１４が形成され、凸部１４の内側に半割りの硬質ビニル管１５を取付けて作製されている。したがって、本発明の電柱標識板１１は簡単且つ安価に製作でき取扱いが容易である。
【００２６】
半割りの硬質ビニル管１５は絶縁性及び２ｍｍ以上の厚みを有し、硬質ビニル管１５の内径は接地線保護管４の外径と略同径である。したがって、接地線３及び接地線保護管４の絶縁及び保護がより確実にされ、異物の進入も防止される。
【００２７】
図６に示すように、接地線保護管４の車両による破損を補修する場合は、既存電柱標識板２（図４参照）を取り外した後、電柱標識板１１の接地線保護部１２によって接地線保護管４の破損部位８（図２参照）を覆うようにして電柱標識板１１を電柱１に設置することで、接地線保護管４を容易に補修及び再絶縁することが可能である。また、接地線保護管４の破損部位８を電柱標識板１１で補修することで、接地線保護部１２の硬質ビニル管１５と板材１３により接地線を二重に保護することが可能である。
【００２８】
車両でなく草刈機との接触により破損した接地線保護管４は、既存電柱標識板２を残し、本発明の電柱標識板１１を新たに用いて、図７の様に補修される。即ち、電柱標識板１１の接地線保護部１２によって接地線保護管４の地表面７の近くの破損部位９（図３参照）を覆うようにして電柱標識板１１を電柱１に設置することで、接地線保護管４を容易に補修及び再絶縁することができる。また、本発明の電柱標識板１１を地表面７付近に設置することにより、草刈を行う高さにおいて接地線３の保護をより確実にし、草刈作業者に一層注意を喚起することが可能となり、接地線３及び接地線保護管４の破損や切断を容易に軽減することができる。
【００２９】
本実施形態においては電柱１に既存の電柱標識板２が存在する場合のみが考えられているが、既存の電柱標識板２が存在しない電柱１に本発明の電柱標識板１１を用いる場合は、電柱１の存在がより認識されやすくなるため、電柱１への車両の接触などによる接地線保護管４の破損をより軽減することができる。また、既存電柱標識板２が存在する場合においても、既存電柱標識板２は図４に示す物と同様のものである必要は無く、電柱１への設置位置も限定されない。
【００３０】
工事による盛り土などによって地上高が不足した接地線保護管４には、本発明の電柱標識板１１を接地線保護管４の上端に設置することにより接地線保護管４の継足しを行うことが可能となる。本発明の電柱標識板１１を用いて接地線保護管４の継足しを行う場合には、地上高不足分より電柱標識板１１の上下方向の長さが長いことが必須である。また、接地線保護管４のかわりに上下方向に２ｍ以上の長さを有する本発明の電柱標識板１１を用いても良い。本発明の電柱標識板１１を継足しや接地線保護管４の代替に用いる場合は、高さ位置に応じた注意の喚起がされるようにされると共に、景観に対しても考慮される。
【００３１】
また、本発明の接地線保護部１２を設けた電柱標識板１１は、接地線保護管４の補修、継足し、及び代用を要する部位以外にも使用することができる。あらかじめ本発明の電柱標識板１１を用いることにより、接地線保護管４、接地線保護部１２、及び板材１３によって接地線３を三重保護することが可能となり、接地線３の破損をより確実に防止することができる。
【００３２】
本実施形態における電柱標識板１１は接地線保護部１２が半管状に電柱１の外方に突出した形状のものであるが、図８の様な接地線保護部１７を内包可能な厚みを有する板材１８からなり、厚み部に接地線３及び接地線保護管４が覆われる接地線保護部１７が設けられた電柱標識板１９を用いても良い。接地線保護部１７を内包可能な厚みを有する板材１８からなる電柱標識板１９を用いることで、突出部の無い電柱標識板１９とすることができる。
【００３３】
また、本発明の本実施形態における電柱標識板１１、１９には両端部に複数個の穴１０、１６が設けられステンレスバンドにより電柱１に固定されているが、本発明の電柱標識板１１、１９の電柱１への固定方法は特に限定されない。
【図面の簡単な説明】
【００３４】
【図１】電柱付近に設置され接地線保護管によって保護された接地線の側面図
【図２】車両との接触により接地線保護管が破損した状態の側面図
【図３】草刈機との接触により接地線保護管が破損した状態の側面図
【図４】既存電柱標識板の概要図
【図５】本実施形態における本発明の電柱標識板の概要図
【図６】本実施形態における本発明の電柱標識板を車両による接地線保護管の破損箇所に用いた場合の斜視図
【図７】本実施形態における本発明の電柱標識板を草刈機による接地線保護管の破損箇所に用いた場合の斜視図
【図８】接地線保護部を突出させない場合の本発明の電柱標識板の断面図
【符号の説明】
【００３５】
１    電柱
２    電柱標識板
３    接地線
４    接地線保護管
５    ステンレスバンド
６、１３、１８    板材
７    地表面
８    車両との接触による破損部位
９    草刈機との接触による破損部位
１０、１６  穴
１１、１９  電柱標識板
１２、１７  接地線保護部
１４  凸部
１５  硬質ビニル管
【図１】
2007189791.tif 000003
【図２】
2007189791.tif 000004
【図３】
2007189791.tif 000005
【図４】
2007189791.tif 000006
【図５】
2007189791.tif 000007
【図６】
2007189791.tif 000008
【図７】
2007189791.tif 000009
【図８】
2007189791.tif 000010